(57)【要約】【課題】流通段階や陳列段階で鏡餅状容器を覆っている蓋を利用して三方が得られるようにし、上記ごみ量の増大を防止する。【解決手段】台３の底面に蓋嵌め入れ口形成領域１４を有し、蓋嵌め入れ口形成領域１４に、蓋嵌め入れ口２０を折り起こしにより開口する閉鎖板１９を設けて、閉鎖板１９の折り起こしにより開口した台３の蓋嵌め入れ口２０に、蓋４の上部を嵌め入れて、台３と蓋４との組み合わせからなる三方を形成し、台３に嵌め入れた蓋４の上部の天面側に鏡餅状容器２を載せ置きできる構成とした。【選択図】    図２
2006027687.tif 000002
【特許請求の範囲】
【請求項１】
周囲に縦壁を有し、底面に鏡餅状容器を載せ置く台と、前記鏡餅状容器を載せ置き可能な天面を有し、内部に鏡餅状容器を収容可能な収納空間を有する蓋とからなり、前記台に載せ置いた鏡餅状容器を覆って該鏡餅状容器を収納する包装体であって、
前記台の底面に、前記蓋の上部に対応した蓋嵌め入れ口形成領域を有し、該蓋嵌め入れ口形成領域に、蓋の上部が嵌め入れできる蓋嵌め入れ口を折り起こしにより開口する閉鎖板を設けて、
前記閉鎖板の折り起こしにより開口した台の前記蓋嵌め入れ口に、台の下方から蓋の上部を嵌め入れて、前記台と蓋との組み合わせからなる三方が形成されて、台に嵌め入れた蓋の上部の天面側に鏡餅状容器を載せ置きできる構成としたことを特徴とする鏡餅包装体。
【請求項２】
上記蓋は、平頭の略角柱形状または平頭の略四角錐形状に設けられている請求項１に記載の鏡餅包装体。
【請求項３】
上記蓋は、収納空間に位置した鏡餅状容器のお飾りに対応する透孔を有し、上記台に載せ置いた前記鏡餅状容器に前記蓋を被せ付けて覆った形態で前記透孔からお飾りが目視可能に設けられ、かつ、鏡餅状容器を覆った前記形態で、前記蓋の透孔に対応した透孔を有するスリーブに出し入れ可能に収納され、スリーブの前記透孔と前記蓋の透孔とが対応位置して、鏡餅状容器の前記お飾りが外方から目視可能に設けられている請求項１または２に記載の鏡餅包装体。
【請求項４】
上記台に載せ置いた鏡餅状容器に上記蓋を被せ付けて覆い、上記スリーブに収納した上記形態で、透明なフィルムによりシュリンク包装されている請求項３に記載の鏡餅包装体。
【発明の詳細な説明】
【技術分野】
【０００１】
本発明は鏡餅状容器を収容するとともに、鏡餅状容器を載せ置く三方を組むことのできる包装体に関するものである。
【背景技術】
【０００２】
従来からこの種の包装体としては、四角にして浅底の台に折り畳んだ三方用脚と鏡餅状容器とを載せ、これに蓋を被せ、そして、全体を縦巻きスリーブに横入れた形態のものがあり、スリーブから取り出した台の下部に組み起こした三方用脚を取り付けて三方を形成して、これに鏡餅状容器を載せることができるようにしたものであった（特許文献１、特許文献２）。
【特許文献１】実開平０２−０６６４１５号公報
【特許文献２】特許第２８２４９５８号公報
【発明の開示】
【発明が解決しようとする課題】
【０００３】
上記従来の鏡餅包装体は、この鏡餅包装体を購入した消費者が、流通段階や小売り店の陳列段階での商品形態とは異なる形態にして、鏡餅状容器をお供えとすることができるようにしたものであり、上述したように台と脚とで組んだ三方に載せ置くようにしていた。
ところで、上記従来のものでは、流通段階や陳列段階で利用されている上記蓋が、鏡餅状容器をお供えとする形態とした段階でスリーブとともに不要となって廃棄される。しかしながら、スリーブを廃棄する際に展開したり偏平に折るなどの簡単な作業で小さくすることができるのに対して、蓋は簡単な操作では展開したり偏平にしたりすることができず、包装体時の嵩高い形状のまま廃棄され易い。そのため、ごみ量を増大させるという問題点があった。
そこで本発明は上気した事情に鑑み、流通段階や陳列段階で鏡餅状容器を覆っている蓋を利用して三方が得られるようにすることを課題とし、上記ごみ量の増大を防止することを目的とするものである。
【課題を解決するための手段】
【０００４】
本発明は上記課題を考慮してなされたもので、周囲に縦壁を有し、底面に鏡餅状容器を載せ置く台と、前記鏡餅状容器を載せ置き可能な天面を有し、内部に鏡餅状容器を収容可能な収納空間を有する蓋とからなり、前記台に載せ置いた鏡餅状容器を覆って該鏡餅状容器を収納する包装体であって、前記台の底面に、前記蓋の上部に対応した蓋嵌め入れ口形成領域を有し、該蓋嵌め入れ口形成領域に、蓋の上部が嵌め入れできる蓋嵌め入れ口を折り起こしにより開口する閉鎖板を設けて、前記閉鎖板の折り起こしにより開口した台の前記蓋嵌め入れ口に、台の下方から蓋の上部を嵌め入れて、前記台と蓋との組み合わせからなる三方が形成されて、台に嵌め入れた蓋の上部の天面側に鏡餅状容器を載せ置きできる構成としたことを特徴とする鏡餅包装体を提供して、上記課題を解消するものである。
【０００５】
本発明において、上記蓋は、平頭の略角柱形状または平頭の略四角錐形状に設けられていることが良好である。
また、本発明において、上記蓋は、収納空間に位置した鏡餅状容器のお飾りに対応する透孔を有し、上記台に載せ置いた前記鏡餅状容器に前記蓋を被せ付けて覆った形態で前記透孔からお飾りが目視可能に設けられ、かつ、鏡餅状容器を覆った前記形態で、前記蓋の透孔に対応した透孔を有するスリーブに出し入れ可能に収納され、スリーブの前記透孔と前記蓋の透孔とが対応位置して、鏡餅状容器の前記お飾りが外方から目視可能に設けられているものとすることが良好である。
さらに、本発明において、上記台に載せ置いた鏡餅状容器に上記蓋を被せ付けて覆い、上記スリーブに収納した上記形態で、透明なフィルムによりシュリンク包装されていることが良好である。
【発明の効果】
【０００６】
本発明によれば、流通段階や陳列段階での形態で鏡餅状容器を台とともに覆っている蓋が、前記台との組み合わせで三方を形成するので、鏡餅状容器をお供えとしたときに蓋がごみとならず、ごみ量の削減を図ることができる。また、三方の脚となる部分を蓋としているので、三方用脚を鏡餅状容器の下部に挟み入れる収納形態とした従来の包装体に比べて製品高さを低くでき、よって、コンパクトな包装体とすることができる。
【０００７】
本発明において、蓋を、平頭の略角柱形状または平頭の略四角錐形状に設けるようにすれば、三方の形態としたときに台が回転しないようになり、三方の形態が安定する。
また、本発明において、蓋の透孔とスリーブの透孔を通して鏡餅状容器のお飾りを目視できるようにすれば、きらびやかなお飾りが購買者側に強調されて商品性が一層向上するようになる。
そして、本発明において、スリーブに収めた様態で全体をシュリンク包装すれば、販売時の取り扱いに際して蓋が台から浮くことなく一体となり、また、販売時の取り扱いでスリーブから蓋と台とが横スライドしてズレ出るということがなく、包装体の形状がより一層安定的なものとなる。そして、スリーブ内側へのごみの入り込みを防止して、流通時や陳列時に鏡餅状容器をより衛生的に収納できるようになる。
【発明を実施するための最良の形態】
【０００８】
つぎに本発明を図示の例に基づいて詳細に説明する。
図中１は鏡餅包装体で、該鏡餅包装体１は大体の外観形状として、平頭の略四角錐状にして下部周囲に立面が形成されるイメージを想起されるようにしたものである。そして、図３に示すようにこの画鏡餅包装体１は、鏡餅状容器２と、この鏡餅状容器２を載せ置く浅底の台３と、この台３に載せ置いた前記鏡餅状容器２に被せ付けて、台３とで鏡餅状容器２を覆うようにした蓋４と、前記台３と蓋４とで鏡餅状容器２を覆った形態の組み合わせ物を横スライドにて出し入れ可能となるように収納するスリーブ５とから構成されている。
蓋４は図４の展開状態で示されているように四枚の側面板６を胴貼りするとともに、側面板６それぞれに連接された天面閉鎖板７を噛み合わせるように重ねることによって、天面８を平らにし、裾広がりとなるように側面板６それぞれを傾斜させた平頭の略四角錐形状に設けられたもので、さらに前記側面板６それぞれの下端に連接された舌状板９が外方に折り出されている。この蓋４は後述するように三方の脚となる役割も有するもので、三面の側面板６に透孔１０が開口されている。
そしてこの蓋４は内部を収納空間としていて、上述したように鏡餅状容器２に被せ付けた状態で側面板６それぞれの内面が鏡餅状容器２の下段部分外周に接触し、収納空間で鏡餅状容器２が移動しないように保持する。また、上記舌状板９それぞれは鏡餅状容器２の下部シール部に重なり、台３とでこの下部シール部を挟んで保持するように設けられている（図１０参照）。
【０００９】
鏡餅状容器２が載せ置かれる台３は、図５の展開状態で示されているように四角形の底面板１１の四辺それぞれに縦壁構成板１２が連接されたブランクからなり、その縦壁構成板１２を折り上げることで四方に縦壁１３を有する浅底のトレー状の形態としている。
そして、この鏡餅包装体を商品として購入した消費者が一旦、鏡餅状容器２、台３、蓋４とに分離してから、台３にその下方から蓋４の上部を若干嵌め入れるようにして組み合わせることで三方が得られるようにしたものであって、前記台３の底面板１１には、蓋４の上部に対応した蓋嵌め入れ口形成領域１４が設けられていて、三方としたときの底面板１１の高さ位置での蓋４の断面形状（四角形）に対応している。この蓋嵌め入れ口形成領域１４では、対向する一組の辺を切り込み線１５とし、その切り込み線１５の中央部分に亘る位置にも不連続の切り込み線１６が入れられ、さらに前記切り込み線１５の端部間に亘る位置に谷折り罫線１７が設けられ、そしてその谷折り罫線１７の近接した位置で山折り罫線１８が平行にして設けられており、中央の不連続な切り込み線１６と切り込み線１５と谷折り罫線１７とに囲まれた領域を閉鎖板１９として、二つの閉鎖板１９が前記不連続な切り込み線１６を間にして対向している。
台３と蓋４とを組み合わせて三方を得るようにする場合には、蓋嵌め入れ口形成領域１４での中央の不連続な切り込み線１６の位置で閉鎖板１９を分けるようにして起こし、閉鎖板１９それぞれの基端側となる上記谷折り罫線１７と山折り罫線１８との位置での略Ｚ状の折り曲げにて、閉鎖板１９それぞれを段付状に曲げることで、蓋嵌め入れ口形成領域１４に蓋嵌め入れ口２０を開口できるようにしている。
【００１０】
スリーブ５は図７の展開状態で示されているように帯状とした板材を縦巻きしてなるもので、台３に鏡餅状容器２を載せて蓋４を被せ付けた組み合わせ物を横スライド可能にして収納する。台３と蓋４とを内部に入れた状態で鏡餅包装体１における上述した形態となるように、スリーブ５における蓋４の天面に掛かる部分がその天面に対応する形状とされ、台３の底面板に掛かる部分でもその底面板に対応する形状としている。さらにスリーブ５における一方の傾斜部分２１には透孔２２が開口されている。三方としたときに脚とする蓋４において上述したように三面の側面板６に透孔１０があり、三方での正面となる透孔１０に、この蓋４の収納空間に配置した鏡餅状容器２に取り付けられたお飾り２３が対応位置し、さらにお飾り２３が対応する位置の透孔１０を、この蓋４がスリーブ５内にあるときに前記スリーブ５の透孔２２に対応位置させており、よって、鏡餅包装体１では、外方から透孔１０、２２を通して前記お飾り２３が目視できるようにしている。
【００１１】
このように鏡餅包装体１では、台３に鏡餅状容器２を載せ置いて蓋４を被せ付けることで鏡餅状容器２を保護している。なお、鏡餅状容器２の下部シール部２４は薄板状で外周を略四角形状としており、台３に載せ置いたときに前記下部シール部２４の端部それぞれが縦壁１３の内面に当接して移動しないようにしている。また、収納空間に鏡餅状容器２を位置させている蓋４にあっても上記舌状板９が前記下部シール２４に乗った状態で同様に縦壁１３の内面に当接しており、この蓋４も台３に対してがた付くことなく組み入れられているものである。
【００１２】
さらに鏡餅包装体１は、上記台３の鏡餅状容器２に蓋４を被せてスリーブ５に挿入した組み合わせ形態のままでその全体を透明なシュリンクフィルムでシュリンク包装することが可能である。このようにシュリンク包装すれば、台３、蓋４、スリーブ５がより一体的になり、鏡餅包装体１を流通時や陳列時に取り扱ってもがた付くことがなく、また、不必要にスリーブ５から台３と蓋４とが抜け出るのを確実に防止できる。さらにスリーブ５内や収納空間内にごみが侵入するのを確実に防止する。
【００１３】
鏡餅包装体１に収納されている鏡餅状容器をお供えとする場合について説明する。まず、スリーブ５から台３と蓋４とを抜き出して（図２参照）、台３上から一旦、前記蓋４とこの蓋４が被せ付けられていた鏡餅状容器２を取り外す。つぎに台３の底面板１１における蓋嵌め入れ口形成領域１４での閉鎖板１９それぞれを段付き状に折って蓋嵌め入れ口２０を開口して、この蓋嵌め入れ口２０に蓋４の上部を嵌め入れる（図８）。この後、蓋４の天面８に閉鎖板１９の横面部２５を位置させた状態でその上に鏡餅状容器２を載せ置く。このようにすることに三方が前記台３と蓋４とで構成され、その上に鏡餅状容器２がお供えとなる（図９）。
【００１４】
上記実施の形態において、台３の蓋嵌め入れ口２０に下方から蓋４の上部を嵌め入れたときに、図１０に示すようにその蓋４の天面８の高さ位置が台３の縦壁１３の上端高さ位置より下位となるように設定されており、蓋４の蓋嵌め入れ口２０への嵌め入れ量に対応するように上記閉鎖板１９における縦面部２６の寸法、即ち、谷折り罫線１７と山折り罫線１８との間の寸法が設定されている。
このようにすることで蓋４の天面８の上に閉鎖板１９の横面部２５が適正に重なるようになる。さらにこの上にある程度の重量を有する鏡餅状容器２が重ねられるので、前記横面部２５がこの鏡餅状容器２と蓋４とで挟まれて抜け出ないように支持されるため、台３が所定高さ位置から下方に移動して傾いたりするのを防止している。また、蓋嵌め入れ口２０はこれに嵌め込まれる蓋４の上部の断面形状に対応した形状であるため、台３自体が蓋４に対して回転することがなく、これによっても三方の形態が適正に維持される。
【００１５】
なお、上記実施の形態では、蓋４を裾広がりした平頭の四角錐形状としたが、本発明はこれに限定されるものではなく、例えば蓋４の側面板６それぞれを鉛直方向に沿うように立てた平頭の略角柱形状であってもよい。そしてこの蓋４が台３の蓋嵌め入れ口２０に嵌め入れられても上述したように閉鎖板１９の横面部２５が挟み付けられるため、台３が所定位置に保持される。
また、蓋嵌め入れ口形成領域１４において二つの閉鎖板１９が対向配置される例を示したが、本発明はこれに限定されるものではなく、例えば、対向方向が互いに交差する二組四枚の閉鎖板を設けるようにすることも可能である。
【図面の簡単な説明】
【００１６】
【図１】本発明に係る鏡餅包装体の一例を斜視状態で示す説明図である。
【図２】一例においてスリーブから台と蓋との組み合わせ物を抜き出した状態を示す説明図である。
【図３】一例を台と蓋とスリーブと鏡餅状容器とに分解した状態で示す説明図である。
【図４】一例における蓋のブランクを示す説明図である。
【図５】一例における台のブランクを示す説明図である。
【図６】一例における台を示すもので、（イ）は蓋嵌め入れ口開口前の状態を示す説明図、（ロ）は蓋嵌め入れ口を開口した状態を示す説明図である。
【図７】一例におけるスリーブのブランクを示す説明図である。
【図８】台の蓋嵌め入れ口に蓋の上部を位置させた状態を示す説明図である。
【図９】台と蓋とで構成された三方に鏡餅状容器を載せ置いた状態を示す説明図である。
【図１０】鏡餅状容器における閉鎖板の挟み込みを概略的に示す説明図である。
【符号の説明】
【００１７】
１…鏡餅包装体
２…鏡餅状容器
３…台
４…蓋
５…スリーブ
６…側面板
７…天面閉鎖板
８…天面
１０…透孔
１１…底面板
１４…蓋嵌め入れ口形成領域
１５…切り込み線
１６…切り込み線
１７…谷折り罫線
１８…山折り罫線
１９…閉鎖板
２０…蓋嵌め入れ口
２１…傾斜部分
２２…透孔
２３…お飾り
２５…横面部
２６…縦面部
【図１】
2006027687.tif 000003
【図２】
2006027687.tif 000004
【図３】
2006027687.tif 000005
【図４】
2006027687.tif 000006
【図５】
2006027687.tif 000007
【図６】
2006027687.tif 000008
【図７】
2006027687.tif 000009
【図８】
2006027687.tif 000010
【図９】
2006027687.tif 000011
【図１０】
2006027687.tif 000012